Podtech/llm-jp-corpus-v4-ja_patent huggingface dataset:
(57)【要約】【課題】  海苔畑の支柱の立て辛い海底の貝殻や砂の層に立てる事のできる、海苔支柱を提供する。【解決手段】  筒の上部を詰め、側面上半部の一部分に高圧注水口と根本のソケットに噴射ノズルを合わせ、海苔支柱を形成した。この海苔支柱に、海苔支柱高圧海水注入装置により、注水口に水圧をかけ、噴射ノズルより噴射させて、海苔畑の海底の貝殻や砂層を水流により液状化して海苔支柱を押さえ立て込んで、課題を解決する。【選択図】図１
0003143268.tif 000002
【実用新案登録請求の範囲】
【請求項１】
筒の上部を詰め、側面上半部の一部分に高圧注水口と、根本に、ソケットと、噴射ノズルを、合わせ形成した、海苔支柱。
【考案の詳細な説明】
【技術分野】
【０００１】  本考案は、海苔支柱に関するものであり、空洞をもつ上部の詰まった海苔支柱の側面と根本に工夫を加える事によって、海苔畑の貝殻や砂の層に海苔支柱を立て込みやすいようにした、海苔支柱に関する。
【背景技術】
【０００２】  従来から、海苔支柱立て込み装置として、例えば、特許文献１に開示されているものがある。
【特許文献１】  特開２００３−１７４８２９号公報
【０００３】  海苔の生産地有明海の海苔畑の地層は、貝殻や砂の層が多く海苔支柱が立て辛い。立て辛い海苔支柱を立て込むためには、従来から船上で、海水ポンプにより送水して貝殻や砂の層に穴を開ける金属製の送水パイプが利用されている（図５）。
【考案の開示】
【考案が解決しようとする課題】
【０００４】  特許文献１では、重機による海苔支柱を立て込む方法が考えられているが、海苔漁船に重機を積むと積載量が増えて、海苔支柱を積むスペースも減少してしまい、船を大きくするとコスト面でもデメリットが発生する。【０００５】  有明海で従来から、利用されている（図５）の金属性の送水パイプは、船上から海水ポンプで海苔畑の海底の貝殻や砂の層に海水を噴射して液状化させて穴をあけ、パイプを引き抜き、開けた穴に海苔支柱を差込み立てられているが、船上からはパイプを引き抜いた穴が、泥や貝殻や砂の濁りで見えないために、海苔支柱の根本を差し込みづらく、何度も送水パイプを上げ下げして穴を大きくして海苔支柱を押さえ立て込まれている。穴を大きくすると貝殻や砂の層の液状化の面積が広くなり、潮流の早い時、海苔支柱が傾いてしまう。傾きを防止するために海苔支柱を上げ下げして反動を付け押さえ深く立てると、海苔支柱の長さが限られているので、海苔網を海苔芽の発育のため、満潮時水面の光と干潮時の間出を取るための、海苔支柱に海苔網を吊るすロープの場所が限られ、満潮時の風が強く波の荒い時、海苔支柱は海苔網の目をさし、干潮時には、海苔網は乾燥して時間が経過すると海苔の種芽は死んでしまう。長い海苔支柱を使用すると直経も大きくなり重量も増え扱いづらい。海苔期間が終わり海苔支柱を撤去する時、海底に深く抜かっているため抜き辛く、作業面とコスト面でもデメリットが発生する。この考案は、これらの不都合を解決することを課題とする。
【課題を解決するための手段】
【０００６】  この課題を解決するための請求項１の考案は、筒の上部を詰め側面上半部の一部分に高圧注水口と、根本にソケットと、噴射ノズルを合わせ、海苔支柱を形成する。【０００７】  船上で、海苔支柱の高圧注水口に、海苔支柱高圧海水注入装置により注水し、根本の噴射ノズルから噴射し、海底の所定の位置で貝殻や砂の層を液状化して、海苔支柱を押さえ立て込む。
【考案の効果】
【０００８】  本考案により、海苔支柱を貝殻や砂の層に立てる場合最小限の穴で立てることができる。従来のような金属製の送水パイプのように、穴を大きくしたり探したりする必要はなくなり、開けられた穴が海苔支柱のサイズで押さえ立て込まれるために、海苔支柱が速い潮流により傾いたり潮が満ち波で煽られ傾いたり抜けたりする不都合は起きず、目標の位置に海苔支柱を立てる事ができ、海苔支柱の立て込み作業の能率が向上するのである。【０００９】  また、本考案の、筒状の海苔支柱は、側面上半部の一部分の高圧注水口より注水し噴射ノズルより噴射して海底に立て込むために、海苔支柱内部に海水が溜まっているために、浮力が減少して潮位の高い波の荒い日に海苔支柱が抜ける事が減少し、海苔畑の荒れる事も減少して海苔芽の発育を助け海苔の増産に役立つ。
【考案を実施するための最良の形態】
【００１０】  図１は、筒の上部を詰めた、側面上半部の一部分に、２高圧注水口と、根本の、５ソケットの、４泥抜き穴に、３噴射ノズルを合わせて構成した立面図である。図２は、１海苔支柱の、５ソケットの、４泥抜き穴から、３噴射ノズルを外した分解立面図を示す。図３は、従来の海苔支柱の立面図を示す。図４は、３噴射ノズルを示す。図５は、従来から利用されている金属性の送水パイプの立面図を示す。【００１１】  図１に示すように、側面の一部分の、２高圧注水口に、海苔支柱高圧海水注入装置より海水の注水を受けることで、筒状の、１海苔支柱内部の水圧を上げ、３噴射ノズルから海水を噴射し、海底の所定の位置で貝殻や砂の層を液状化して海苔支柱を押さえ立て込む。【００１２】  高圧注入装置から、２注水口に注水を受けた時、パイプ状の海苔支柱内部の水圧が上り、３噴射ノズルより噴射する事で、従来の金属製送水パイプの海苔支柱立用具のように、穴を大きくし液状化面積を広げたり、見えない穴を探したりする必要はなくなり、速い潮流で海苔支柱が傾いたり荒い波で煽られて傾いたり抜けたりする事を意識する事なく目標の位置に最小限の穴で、海苔支柱を効率よく立て込むことができ、労働力を軽減することができる。【００１３】  筒状の、１海苔支柱の側面上半部の一部分の、２高圧注水口の穴は適度な位置にして、強度に影響を与えない大きさで、海苔支柱高圧海水注入装置の注入口に合うと数個でもよく、根本の、３ノズルの穴は、水量と圧力に合わせて大きさを決めるとよい。【００１４】  従来のパイプ状の海苔支柱を利用する場合は、上部の、６アンテナと、７空気抜き穴と、８水抜き穴を詰め、上半部の一部分に、２高圧注水口を設け、４泥抜き穴に、３噴射ノズルの凸ねじにあう、凹ねじを設け締め付けて利用することができる。【００１５】  また、筒状の海苔支柱の材料は熱可塑性樹脂と強化プラスチックが混合したものなどがよい。
【産業上の利用可能性】
【００１６】  本発明に係る、海苔支柱は工業的量産することが可能であるために、産業上の利用可能性を有する。
【図面の簡単な説明】
【００１７】
【図１】  筒状の海苔支柱の立面である。
【図２】  筒状の海苔支柱の根本のソケットから噴射ノズルをはずした立面図である。
【図３】  従来の海苔支柱の立面図である。
【図４】  噴射ノズルの立面図である。
【図５】  従来から利用されている、金属製のパイプの立面図である。
【符号の説明】
【００１８】      １  海苔支柱を示す
２  高圧注水口を示す
３  噴射ノズルを示す
４  泥抜き穴を示す
５  ソケットを示す
６  アンテナを示す
７  空気抜き穴を示す
８  水抜きき穴を示す
【図１】
0003143268.tif 000003
【図２】
0003143268.tif 000004
【図３】
0003143268.tif 000005
【図４】
0003143268.tif 000006
【図５】
0003143268.tif 000007
(57)【要約】      （修正有）【課題】洗濯した女性の下着等を物干し場で乾燥中、盗難の発生を防止したり、強風で乾燥中の洗濯物が飛散するのを防ぎ、且つ  ハンガ−を使用して乾燥中のものが、ハンガ−ごと物干し竿や物干しロ−プ等から盗難、又は落下するのを防止する為の、盗難、落下防止付き物干しハンガ−を提供する。【解決手段】ハンガ−の吊り下げ部３の上部先端に、チェーン付錠１を取りつけて、吊り下げ部３の下部に、錠止金４を取りつける。左斜辺部５の下端部を、Ｕ字形に曲げて、この先端部にチェ−ン付錠２を取りつける。右斜辺部６の下端部と下辺部７の右端部を、スプリング８で接続する。下辺部７の左端部に、スプリング９の中に、チェ−ン１０を通して取りつける。【選択図】図１
0003143278.tif 000002
【実用新案登録請求の範囲】
【請求項１】
ハンガ−の吊り下げ部▲３▼の上部先端部に、チェ−ン付錠▲１▼を、取り付けたハンガ−。
【請求項２】
ハンガ−の左斜辺部▲５▼の下端を、Ｕ字形にし、先端部にチェ−ン付錠▲２▼を、取り付けたハンガ−。
【考案の詳細な説明】
【考案の詳細な説明】
【技術分野】
【０００１】  この考案は、下着等を物干しハンガ−に吊して干した場合、干し物の盗難を防止し、強風による干し物の飛散、ハンガ−の落下防止に関するものである。
【背景技術】
【０００２】  従来の、三角形状の物干しハンガ−は、ハンガ−斜辺部や底辺部に、干し物を引き掛けたり、洗濯バサミで挟んで固定し、ハンガ−の吊り下げ部を物干し竿や物干しロープ等に吊して干すものであった。
【考案が解決しょうとする課題】
【０００３】  洗濯物等の干し物を、従来の物干しハンガ−を使用して干した場合、誰でも容易にハンガ−から取り外したり、ハンガ−ごと物干し竿等から取り外して窃取が可能であった。また強風の場合、干し物が飛散したり、ハンガ−が、物干し竿や物干しロープ等から外れて、落下してしまう事がある。
本考案は、これらの問題点を解決するためになされたものである。
【課題を解決するための手段】
【０００４】  ハンガ−の吊り下げ部▲３▼の上部の先端部に、チェ−ン付錠▲１▼を取り付け、吊り下げ部▲３▼の下部に、錠止金▲４▼を取り付ける。左斜辺部▲５▼の下端部をＵ字形に曲げて、この先端部に、チェ−ン付錠▲２▼を取り付ける。右斜辺部▲６▼の下端部と、下辺部▲７▼の右端部を、スプリング▲８▼で接続する。下辺部▲７▼の左端部に、スプリング▲９▼の中に、チェ−ン▲１０▼を通して取り付ける。
本考案は、以上の構成よりなる盗難、落下防止付き物干しハンガ−である。
【考案を実施するための最良の形態】
【０００５】  以下、本考案の実施の形態を説明する。
（ａ）ハンガ−の吊り下げ部▲３▼を物干し竿等に掛け、吊り下げ部▲３▼の上部の先端部に、チェ−ン付錠▲１▼のチェ−ン末端を取り付けて、同チェ−ン部を物干し竿等に数回巻き付ける。吊下げ部▲３▼の下端部に、錠止金▲４▼を取り付けて、この錠止金▲４▼に、チェ−ン付錠▲１▼の錠を掛けて施錠する。
（ｂ）左斜辺部▲５▼の下端部を、Ｕ字形に曲げて、この先端部に、チェ−ン付錠▲２▼のチェ−ン末端を取り付ける。
（ｃ）右斜辺部▲６▼の下端部と、下辺部▲７▼の右端部を、スプリング▲８▼で接続する。
（ｄ）下辺部▲７▼の左端部に、スプリング▲９▼の中に、チェ−ン▲１０▼を通して取り付ける。
（ｅ）下辺部▲７▼に、洗濯物等の干し物を通して、下辺部▲７▼の左端を、左斜辺部▲５▼の下端部、Ｕ字形に曲げた部分に乗せる。
（ｆ）チェ−ン付錠▲２▼の錠を、下辺部▲７▼の左端部に設置のチェ−ン▲１０▼に、掛けて施錠する。
本考案は、以上の構成よりなる。
本考案物の使用は、チェ−ン付錠▲１▼のチェ−ン部を物干し竿等に数回巻き付けて錠部を、吊り下げ部▲３▼の下端部に設置の錠止金▲４▼に、引掛けて施錠し、ハンガ−の吊下げ部▲３▼が、物干し竿等から外れない状態にして、ハンガ−ごとの盗難や、強風からの落下を防止する。且つチェ−ン付錠▲２▼の錠を、下辺部▲７▼の左端部に設置のチェ−ン▲１０▼に、引掛けて施錠し、洗濯物等の干し物が、下辺部▲７▼から、外れない状態にして、盗難や強風からの落下を防止する。
【考案の効果】
【０００６】  本考案を使用することで、干し物をハンガ−から取り外すことは困難であり盗難を防止できる。また  干し物をハンガ−ごと窃取することも困難で、強風の場合でも、干し物が飛散し、且つ  ハンガ−ごと落下することもない。
【図面の簡単な説明】
【図１】  本考案の使用状態図
【図２】  本考案の要部拡大図
【図３】  本考案の要部拡大図
【符号の説明】
▲１▼チェ−ン付錠、▲２▼チェ−ン付錠、▲３▼吊下げ部、▲４▼錠止金、▲５▼左斜辺部、▲６▼右斜辺部、▲７▼下辺部、▲８▼スプリング、▲９▼スプリング、▲１０▼チェ−ン
【図１】
0003143278.tif 000003
【図２】
0003143278.tif 000004
【図３】
0003143278.tif 000005
(57)【要約】      （修正有）【課題】建物又は車両内の消臭、除菌、ＶＯＣ除去を行うとともに、夜間の標識効果、視覚効果を発揮せしめたＥＬ標識兼用光触媒塗装ガラス窓断熱日除けを提供する。【解決手段】建物及び車両の窓内側に設置する平板又は折り畳み形状もしくはカーテンブラインド等日光遮蔽物の表面に光触媒ペイントを塗装して反射効率を増強するとともに、光触媒に太陽光の紫外線が照射される際に生ずる光触媒作用によって、発生するマイナスイオンを用い、消臭、除菌、ＶＯＣ除去を促す。【選択図】図１
0003143279.tif 000002
【実用新案登録請求の範囲】
【請求項１】
建物及び車両のガラス窓の日光に当たる面を窓内側から覆い、表面に白色の光触媒ペイントを塗装した日光遮蔽物であって、表面の一部に夜間用電源付きＥＬ標識を施した日除け。
【請求項２】
上記請求項１において、折畳み又は手動及び自動で開閉する長方形の細片を短片方向に連ねた、日光量を可変調節するカーテンブラインド。
【考案の詳細な説明】
【考案の詳細な説明】
【考案の所属する分野】
【０００１】  本考案は、建築物及び車両のガラス窓の内側に取り付ける平板もしくは折り畳み形状又は縦横のカーテン状に開閉する光触媒ペイントで塗装した日除けであって、その一部表面に夜間用のＥＬ発光標識を取り付けた装置に関する。
【背景技術】
【０００２】  従来、この種の断熱日除け又はカーテンブラインドにおいては、紙、ダンボール、プラスチック又は金属等の平板又は折り畳み形状もしくはカーテンブラインド等日光遮蔽物の挿入によって、窓の内面を覆い日射熱を防いでいる。
【考案が解決しようとする課題】
【０００３】  従来のこの技術の機能は日光の遮蔽による一次断熱であって、建物及び車両内の低温化のほかには、内部の清浄化、マイナスイオン化といった二次的効果は期待できない。本考案においては、従来の日光遮蔽機構を用いながら、光触媒ペイントの強い反射効果及び紫外線光触媒効果を活用して、内部の一層の低温化を図るとともに、消臭、除菌、有害物質ＶＯＣ等を低減し、更に、ＥＬ装置の付加によって夜間の標識効果、視覚効果を発揮しようとするものである。
【課題を解決するための手段】
【０００４】  上記課題を解決するために、本考案においては建物及び車両の窓内側に設置する平板又は折り畳み形状もしくはカーテンブラインド等日光遮蔽物の表面に光触媒ペイントを塗装して反射効率を増強するとともに、光触媒に太陽光の紫外線が照射される際に生ずる光触媒作用によって、発生するマイナスイオンを用い、消臭、除菌、ＶＯＣ除去を促す。
【０００５】  上記日光遮蔽物表面の一部に電源装置付きで、任意サイズ、任意デザインのＥＬ発光装置を貼付搭載することにより、夜間の標識効果、視覚効果を発揮する。
【考案の効果】
【０００６】  本考案は上記の通り構成されているので、次に記載されている効果を奏する。
【０００７】  建物及び車両の車内は夏の日中炎天下で高温になり、生活しにくいほかそこに置いた食料飲料も腐敗が急速に進む。旧来の日除け装置による断熱の効果も認められるが、本考案における光触媒ペイント塗装日除け板の日光遮蔽においては太陽光の反射効率が高まり、内部温度を低下させるばかりでなく、太陽光の紫外線による光触媒効果が複合して建物及び車内にマイナスイオンを派生させ、消臭、除菌、ＶＯＣ除去作用を与えて生活環境浄化に寄与する。
【０００８】  夜間の暗い建物及び車両駐車場等ではさまざまな情報の視認が困難になることが多いが、本考案では当該日除け装置の一部表面に任意のデザインの電源付きＥＬ発光シートを貼付搭載する。これにより、容易に各種情報の視認確認が出来る。
【０００９】  本考案は以上の通り構成されているので、日射の断熱、建物及び車両内の清浄化、夜間の標識効果、視覚訴求効果を複合して奏する。
【図面の簡単な説明】
【図１】本考案の日除け装置を使用した建物ガラス窓の正面図である。
【図２】本考案の日除け装置を使用した建物ガラス窓の横断面図である。
【符号の説明】
１．ガラス窓
２．本考案に係る光触媒ペイント塗装日光遮蔽面。
３．日光遮蔽板の基板
４．光触媒ペイント塗装部
５．発光ＥＬシート例
６．発光ＥＬシートの電源及びコンバータへの配線
【図１】
0003143279.tif 000003
【図２】
0003143279.tif 000004
(57)【要約】      （修正有）【課題】カタログやパンフレットなどを包装する袋体において、景品や名刺などを同時に、且つ見栄え良く分離して収納できる包装袋体を提供する。【解決手段】包装袋体は、表部フィルム１と裏部フィルム２とを重合し、両側を熱溶着した溶着縁５にて形成される。この時、１枚のフィルムを半折して重ね合わせても２枚のフィルムを重ね合わせてもよい。袋体の上下に開口部を設け、溶着線３により上下に分離された個別の袋体を形成し、一方の袋体に区切りシール４を設けることでカタログやパンフレット、景品、名刺などを独立して収納可能なことを特徴とする。【選択図】図１
0003143280.tif 000002
【実用新案登録請求の範囲】
【請求項１】
表部フィルムと裏部フィルムとを重合し、両側縁を溶着して成る袋体において、上下に個別の開口部を設け、両側縁に対し垂直な溶着線３により前記表裏部フィルムを相互に溶着することで上下に分離された袋体を形成し、一方の袋体に両側縁に対し並行な区切りシール４を設けることで個別の商品を独立して収納可能なことを特徴とする包装袋体。
【考案の詳細な説明】
【技術分野】
【０００１】  本考案は、包装袋体に関する。さらに詳しくは、本考案は、カタログやパンフレットおよび景品、名刺等を収納する包装袋体に関する。
【背景技術】
【０００２】  現在、物品の販売においてカタログやパンフレットは欠かせない販売ツールのひとつであるが、封筒やプラスチック製のファイルホルダーなどに収納されて顧客に渡されるのが一般的であり、特に中身が見える透明のプラスチック製封筒などが好まれている。その際、販売促進として景品を添付したり、販売担当者の名刺を同封することが多いが、これらは総じてカタログ類と一緒に封筒に収納されるものである。
しかしながら、これら景品や名刺は封筒の底に落ち込んでしまうため、取り出すのが意外と面倒であり、カタログと重なってしまうと景品が見えづらくなってしまう。また、名刺はカタログの上部にステイプラーで固定されることもあるが、名刺を保管する際に外す必要があり、不便な上危険である。
そこで、カタログ類や景品、名刺などをひとつの封筒に個別に収納し、見栄えの良い袋体が求められている。
【考案の開示】
【考案が解決しようとする課題】
【０００３】  本考案は、カタログやパンフレットなどとともに、景品および名刺を同時に、かつ見栄え良く分離して収納できる包装袋体を提供するものである。
【課題を解決するための手段】
【０００４】  本考案の包装袋体は、両側縁を溶着して成る袋体の上下に開口部を設け、本体部分の任意の位置に溶着線により袋体を上下に分割することでカタログ類と景品などを個別に収納可能とし、さらに、分割された一方の袋体に溶着線に対して垂直な区切りシールを設けることで景品と名刺とを個別に収納可能としたものである。
すなわち、本考案は、
表部フィルムと裏部フィルムとを重合し、両側縁を溶着して成る袋体において、上下に個別の開口部を設け、両側縁に対し垂直な溶着線３により前記表裏部フィルムを相互に溶着することで上下に分離された袋体を形成し、一方の袋体に両側縁に対し並行な区切りシール４を設けることで個別の商品を独立して収納可能なことを特徴とする包装袋体、
を提供するものである。
【考案の効果】
【０００５】  本考案の包装袋体によれば、上下に分割された一方の袋部にカタログ類を封入し、他方に景品および名刺をそれぞれ区切りシールにより分割された袋部に封入することができる。その際、カタログ類と景品、名刺はあたかも並べられたように見え、販売促進に効率が良い。また、景品や名刺だけを取り出すのも簡単で、顧客にとっても便利である。
【考案を実施するための最良の形態】
【０００６】  図１は、本考案の包装袋体の一態様の正面図および側断面図である。包装袋体は、表部フィルム１と裏部フィルム２とを重合し、両側を熱溶着した溶着縁５にて形成される。この時、１枚のフィルムを半折して重ね合わせても２枚のフィルムを重ね合わせてもよい。１枚のフィルムを半折する場合は、表側フィルムを開口部の封緘に必要な分だけ長くして半折し、裏部フィルムの半折部より開口部片の長さの半分の位置をスリットして切り開けば上下に開口部を形成することができる。
袋体に使用するフィルムは、熱可塑性合成樹脂であれば特に制限はなく、例えば、ポリプロピレン、ポリエチレン、ポリアミドなど用途に応じて適宜選択される。また、フィルムの構成は上記フィルム単体の他、複数のフィルムをラミネートした複合フィルムでも構わない。厚みにおいても制限はないが、３０〜８０μｍが好適である。フィルムには印刷を施すこともできるので、例えば、景品部分の区画を銀色や黒色など隠蔽性の高いインキで視認不可にすることで、くじ的な楽しみを顧客に与えることもできる。
溶着線３は、表側フィルム１と裏側フィルム２とを相互に溶着して袋本体を分割するもので、超音波、熱ローレット、高周波など材質に応じて選択される。
図１では、景品と名刺とを個別に封入するための分割線となる区切りシール４が１箇所設けてあるが、景品が複数ある場合などに応じ、２箇所以上設けて区画を増設することもできる。区切りシールは、溶着線３同様表裏部フィルムを相互に溶着するもので、超音波や熱型など溶着の方法については特に制限されない。
図１ではさらに、上下の開口部封緘手段として接着剤層６が設けられている。接着手段としては、両面粘着テープの他、糊引き、ホットメルトなど既存の手段が利用されるが、袋体を密封する場合には表裏部フィルムを溶断して封緘すればよい。【０００７】  図２は、図１に示された態様の包装袋体にカタログおよび景品、名刺を封入した例の斜視図である。このように、カタログ類を上部の区画に封入し、下部の区切りシールで左右に分割された区画に景品、名刺をそれぞれ封入すれば、非常に見栄えが良く保管や取り出しが効率的である。
【図面の簡単な説明】
【０００８】
【図１】本考案の包装袋体の一態様の正面図（ａ）および側断面図（ｂ）である。
【図２】本考案の包装袋体に商品を収納した例の斜視図である。
【符号の説明】
【０００９】１  表部フィルム
２  裏部フィルム
３  溶着線
４  区切りシール
５  溶着縁
６  接着剤層
７  離型紙
【図１】
0003143280.tif 000003
【図２】
0003143280.tif 000004
(57)【要約】      （修正有）【課題】従来の鋸鎌は、切る、刈る、採るなど多目的に耐用できるが、草とりの場合太い茎の草、つる草、カヤ等は、作業中に根元で切れて、土中の根は其の侭残ってしまう欠点を解決した草とり鎌を提供する。【解決手段】鋸鎌形状刃渡り先端から中央部までの範囲に、櫛状に鋸刃加工をし、鋸刃の切り込み角度は柄と平行とし刃の先端は各々鋭利な錐状とする。なお中央部から柄までの範囲は従来型小刻み鋸刃とする。【選択図】図１
0003143247.tif 000002
【実用新案登録請求の範囲】
【請求項１】
鋸鎌の刃渡り先端部から中央部までに櫛状の鋭利な鋸刃をもうけ、鋸刃の角度は、総て柄と平行とし、中央部から柄までの範囲は従来型の小刻み鋸刃をもうけたことを特徴とする鋸鎌。
【考案の詳細な説明】
【技術分野】
【０００１】  本考案は、草とり鎌に関するものであり、従来の鋸鎌の形状に工夫を加えることによって、草とり効果が得られるものである。
【背景技術】
【０００２】  従来の鋸鎌の刃渡り形状は、全長に小刻みな鋸刃が加工されていた。
【考案の開示】
【考案が解決しようとする課題】
【０００３】  従来の鋸鎌（図−１）は刈る、切る、採る、を目的としているため、鎌の刃渡り全長に小刻みな鋸刃が加工されており、草とりも可能ではあるが、小さい草はとれるが太い茎の草、つる草、カヤ等は、作業中に根元で切れて土中の根はその侭残ってしまう欠点を、解決する事を課題とする。
【課題を解決するための手段】
【０００４】  この課題を解決するため、請求項１の考案は、鋸鎌形状刃渡り先端から中央部までの範囲に、櫛状に鋸刃加工をし、鋸刃の切り込み角度は柄と平行とし刃の先端は各々鋭利な錐状とする。なお中央部から柄までの範囲は従来型小刻み鋸刃とする。（図−２）
【考案の効果】
【０００５】  本考案による草取り鎌の使用方法は、草の根元に鎌を当てて引くと、草の根元は鎌の鋭利な錐状刃先に捕捉されて、根元より土中の根の末端まで切れる事なく引き抜きとる事が出来る。
捕捉された草は左手に持つ火挟み等を使えば簡単につまみ除くことが出来るので、直接素手で草や刃先に触れることなく安全で且つ能率的である。
【考案を実施するための最良の形態】
【０００６】  本考案に係る鋸鎌の形態は、従来より市販されている鋸鎌（図１）の先端から中央部までの範囲に、櫛状に柄と平行した角度に鋭利な鋸刃加工を施し、中央部より柄までは従来型小刻み鋸刃を施工し万能型にした事。（図２）
【図面の簡単な説明】
【０００７】
【図１】  従来の鋸鎌。
【図２】  本考案に係る鋸鎌。
【符号の説明】
【０００８】  １  従来の鋸鎌。
２  本考案の鋭利な鋸刃加工部。
３  従来型小刻み鋸刃。
４  鋸鎌の柄。
【図１】
0003143247.tif 000003
【手続補正書】
【提出日】平成20年5月13日(2008.5.13)
【手続補正１】
【補正対象書類名】図面
【補正対象項目名】全図
【補正方法】変更
【補正の内容】
【図１】
0003143247.tif 000004
【図２】
0003143247.tif 000005
(57)【要約】      （修正有）【課題】水道水に含まれる塩素を吸着する塩素吸着用植物性活性炭素繊維を用いた塩素吸着材を提供する。【解決手段】接触面積を最大限にするために球形にした綿並びに綿糸を、焼成して植物性活性炭素化して塩素吸着材とし、蛇腹になっている合成樹脂製の容器１に、袋にいれた植物性活性炭素繊維２を装填する。これを湯水を満たした浴槽、調理用具、水差し等に入れて塩素を吸着させて用途に適した水質にするとともに、植物性活性炭素繊維の放出する遠赤外線により、さらに水質が向上する。【選択図】図１
0003143244.tif 000002
【実用新案登録請求の範囲】
【請求項１】
球形にした綿並びに綿糸を焼成して植物性活性炭素にした塩素吸着材。
【請求項２】
布袋並びに不織布袋に植物性活性炭素繊維を入れた塩素吸着材。
【請求項３】
布袋並びに不織布袋に入れた植物性活性炭素繊維を入れる、蛇腹状の合成樹脂製容器。
【考案の詳細な説明】
【考案の開示】
【考案が解決しようとする課題】
【０００１】  家庭用用水として主に使用されている水道水には塩素が含まれているが、浴用水から飲料水にいたるまで、使用時には塩素が含まれていないことが望ましい。然しながら簡便にして効果的な塩素の除去方法がない。
【課題を解決する為の手段】
【０００２】  上記の課題を解決するために、▲１▼接触面を最大限にするため球形にした綿又は綿糸を焼成して植物性活性炭素繊維にする。▲２▼植物性活性炭素繊維袋に入れ、取り扱いに便利で簡便な方法で脱水できる合成樹脂製の容器に入れる。等の方法により、湯水を満たした浴槽、調理器具、水差し等に入れて塩素を吸着させて用途に適した水質にするとともに、植物性活性炭素繊維の放出する遠赤外線により、さらに水質が向上する方法を考案した。
【考案の効果】
【０００３】  植物性活性炭素繊維は表面積が１ｇ当たり９００〜２２００ｍ２で吸着量が大きく、微孔直径は５〜１００Ａで吸着速度が速く、粒状活性炭の１０〜１００倍であり、溶剤の回収、気体の浄化、水の浄化等に使用されている。
原料は綿花等の植物性繊維であり、１２００℃の高熱で炭化加工されており、化学物質や雑菌類が含まれていないため安全である。
２０００ｃｃの水に１０ｇ植物性活性炭素繊維を入れると、水温により誤差はあるが２０分〜３０分で水道水中の大半の塩素を吸着する。
この他、マイナスイオン効果や温水においては植物性活性炭素繊維が放出する遠赤外線によるクラスター効果があり、水質が向上する。
【考案を実施するための最良の形態】
【０００４】▲１▼球状にした綿又は綿糸を焼成して植物性活性炭繊維にしたものを、容器中の水に入れる。
▲２▼孔のある上下の側板を蛇腹で接続した合成樹脂製の容器（図１）に、袋に入れたフエルト状の植物性活性炭素繊維（図２）を入れる。
取り出すときは、蛇腹部分を上下から圧し、水分を排出する。
【図面の簡単な説明】
0003143244.tif 000003
0003143244.tif 000004
【手続補正書】
【提出日】平成20年5月12日(2008.5.12)
【手続補正１】
【補正対象書類名】明細書
【補正対象項目名】全文
【補正方法】変更
【補正の内容】
【考案の詳細な説明】
【考案の開示】
【考案が解決しようとする課題】
【０００１】  家庭用用水として主に使用されている水道水には塩素が含まれているが、浴用水から飲料水にいたるまで、使用時には塩素が含まれていないことが望ましい。然しながら簡便にして効果的な塩素の除去方法がない。
【課題を解決する為の手段】
【０００２】  上記の課題を解決するために、▲１▼接触面を最大限にするため球形にした綿又は綿糸を焼成して植物性活性炭素繊維にする。▲２▼植物性活性炭素繊維袋に入れ、取り扱いに便利で簡便な方法で脱水できる合成樹脂製の容器に入れる。等の方法により、湯水を満たした浴槽、調理器具、水差し等に入れて塩素を吸着させて用途に適した水質にするとともに、植物性活性炭素繊維の放出する遠赤外線により、さらに水質が向上する方法を考案した。
【考案の効果】
【０００３】  植物性活性炭素繊維は表面積が１ｇ当たり９００〜２２００ｍ２で吸着量が大きく、微孔直径は５〜１００Ａで吸着速度が速く、粒状活性炭の１０〜１００倍であり、溶剤の回収、気体の浄化、水の浄化等に使用されている。
原料は綿花等の植物性繊維であり、１２００℃の高熱で炭化加工されており、化学物質や雑菌類が含まれていないため安全である。
１０００ｃｃの水に１０ｇ植物性活性炭素繊維を入れると、容器の形状、水温等により誤差はあるが２０分〜３０分で水道水中の大半の塩素を吸着する。
この他、マイナスイオン効果や温水においては植物性活性炭素繊維が放出する遠赤外線によるクラスター効果があり、水質が向上する。
【考案を実施するための最良の形態】
【０００４】▲１▼球状にした綿又は綿糸を焼成して植物性活性炭繊維にしたものを、容器中の水に入れる。
▲２▼孔のある上下の側板を蛇腹で接続した合成樹脂製の容器（図１）に、袋に入れた植物性活性炭素繊維（図２）を入れる。
取り出すときは、蛇腹部分を上下から圧し、水分を排出する。
【図面の簡単な説明】
【０００５】
【図１】合成樹脂製の容器
【図２】植物性活性炭素繊維を入れる袋
【図３】球形にした植物性活性炭素繊維
【符号の説明】
【０００６】（１）容器の上部
（２）蛇腹部分
（３）容器の下部
（４）容器の下部の袋に入れた植物性活性炭素繊維の出し入れ口
【手続補正２】
【補正対象書類名】図面
【補正対象項目名】全図
【補正方法】変更
【補正の内容】
【図１】
0003143244.tif 000005
【図２】
0003143244.tif 000006
【図３】
0003143244.tif 000007
(57)【要約】      （修正有）【課題】抵抗値を正確に計測することができる小型抵抗器を提供する。【解決手段】小型抵抗器１は、本体１１と、前記本体の両側に伸びて設置されたそれぞれの接合脚部１２、１２とからなり、前記各接合脚部１２、１２には前記本体１１に近い箇所において、相対する両計測点１２１、１２１がそれぞれ設置される。前記計測点１２１、１２１は接合脚部表面から下向きの凹陥が形成され、メーカーが小型抵抗器の抵抗値を調整する前後は、同一の計測点で計測することにより、正確な抵抗値を計測すると共に、抵抗値を安定させることができる。【選択図】図１
0003143688.tif 000002
【実用新案登録請求の範囲】
【請求項１】
本体と、前記本体の両側に伸びて設置されるそれぞれの接合脚部とを備える小型抵抗器であって、
前記接合脚部には、前記本体に近い箇所において、相対する複数の計測点がそれぞれ設置されることを特徴とする、小型抵抗器。
【請求項２】
前記計測点は、前記接合脚部表面に下向き凹陥、もしくは挿入して成形されることを特徴とする、請求項１に記載の小型抵抗器。
【請求項３】
前記接合脚部は、前記本体の両側がそれぞれ折り曲げて成形されると共に、前記本体に対して平行状を呈することを特徴とする、請求項１に記載の小型抵抗器。
【考案の詳細な説明】
【技術分野】
【０００１】
本考案は小型抵抗器に係り、特に抵抗値を正確に計測することができる小型抵抗器に関する。
【背景技術】
【０００２】
今日、科学技術の発展は日進月歩であり、その製品のほとんどは環境保護、節電等を標榜しており、その点からも小型抵抗器の発展は重要である。要求が厳しい電源供給システムのためには、消耗を抑え、且つ効率を高めることができる小型抵抗器が重要となる。また、小型抵抗器はスイッチ、モータ等の多種製品に於いて欠くことができないものになっている。
【考案の開示】
【考案が解決しようとする課題】
【０００３】
解決しようとする問題点は、小型抵抗器の抵抗値は非常に小さいものであるため、その抵抗値は計測する位置によって差異が発生し、メーカーが小型抵抗器の抵抗値を微調整する場合、小型抵抗器に必要な抵抗値に正確に調整することができないことである。
【課題を解決するための手段】
【０００４】
本考案は、一つの本体に設置し、前記本体の両側にはそれぞれの接合脚部が伸びて設置され、且つ各接合脚部は本体に近い箇所に、相対する両計測点をそれぞれ設置する。ここで、前記計測点は接合脚部表面から下向きの凹陥が形成され、メーカーが小型抵抗器の抵抗値を調整する前後は、同一の計測点で計測することにより、正確な抵抗値を計測すると共に、抵抗値を安定させることを最も主要な特徴とする。
【考案の効果】
【０００５】
本考案の小型抵抗器は、抵抗値をより正確に計測することができるという効果を奏する。
【考案を実施するための最良の形態】
【０００６】
本考案では、小型抵抗器の本体の両側に相対して設置した複数の計測点を利用することにより、同一の一モニタリング点について抵抗値を計測し、計測位置が異なることによって抵抗器が正確な微調整ができなくなることを防止する。
【０００７】
具体的に、本考案の小型抵抗器には、一つの本体を設置し、本体の両側にはそれぞれ接合脚部を延長して設置し、各接合脚部の本体に近い箇所には、相対した複数の計測点をそれぞれ設置し、メーカーは同一モニタリング点に対して抵抗値及び微調整抵抗値を計測する。
【０００８】
図１乃至図３に示すように、本考案の小型抵抗器１は帯方式で連接生産され、且つ各小型抵抗器１には一つの本体１１を設置する。本体１１の両側にはそれぞれ折り曲げて延び、本体１１と近似した平行の接合脚部１２を設置し、各接合脚部１２は予め設置した回路板上に連接する。また各接合脚部１２の本体１１に近い箇所には、相対する両計測点１２１をそれぞれ設置し、且つ計測点１２１には接合脚部１２表面から下向きの凹陥が成形される。
【０００９】
図４に示すように、ユーザーが小型抵抗器１の抵抗値を計測する時、計測器の計測針２を計測点１２１に接触し、計測器によって小型抵抗器１の抵抗値を計測し、計測器の表示モニター上に表示する。このようにしてメーカーは小型抵抗器１の計測点１２１に対して計測を実施し、抵抗値を計測した後、調整するか否かを判断し、調整後、再び小型抵抗器１上の計測点１２１で計測を実施し、調整が成功したか否かを判断し、メーカーが必要とする抵抗値を得た後、小型抵抗器１に対してパッケージを実施する。
【００１０】
更に該小型抵抗器１の抵抗値調整方式は、研磨もしくはレーザーとする。
【００１１】
図５及び図６に示すとおり、該小型抵抗器１の本体１１が設置した計測点１２１は、接合脚部１２表面から下向きに挿入して成形し、且つ各接合脚部１２上の計測点１２１は二個以上とする。
【００１２】
更に計測点１２１はプレスもしくはエッチングで成形する。
【００１３】
図７に示すとおり、該小型抵抗器１の本体１１両側には直接延びた接合脚部１２が設置される。
【００１４】
本考案は公知の不足及び欠点を改善し、計測点１２１の設置によって、メーカーが小型抵抗器１の抵抗値を調整する前後に於いて、同一の計測点１２１で計測することにより、正確な計測値を出すことができ、抵抗値が安定した小型抵抗器１を製造することができる。
【図面の簡単な説明】
【００１５】
【図１】本考案の実施例の平面図である。
【図２】本考案の実施例の側面断面図である。
【図３】帯方式生産による本考案の実施例の平面図である。
【図４】本考案の実施例の計測説明図である。
【図５】本考案の別の実施例の側面断面図である。
【図６】本考案の更なる別の実施例の平面図である。
【図７】本考案の更なる別の実施例の側面断面図である。
【符号の説明】
【００１６】
１      小型抵抗器
１１    本体
１２    接合脚部
１２１  計測点
２      計測針
【図１】
0003143688.tif 000003
【図２】
0003143688.tif 000004
【図３】
0003143688.tif 000005
【図４】
0003143688.tif 000006
【図５】
0003143688.tif 000007
【図６】
0003143688.tif 000008
【図７】
0003143688.tif 000009
(57)【要約】      （修正有）【課題】マスク装着時における、呼気によるメガネの曇りを抑えるマスクカバーを提供する。【解決手段】マスク本体の外側に構成した、呼気を通さない素材または通しにくい素材のマスクカバーであり、マスク上部とマスクカバー上部及びマスク側部とマスクカバー側部をそれぞれ固定するが、マスク本体とマスクカバー下部は固定しないことにより、マスク本体を通る呼気がマスク本体とマスクカバー下部の間から排出されることを特徴とする。【選択図】図１
0003143607.tif 000002
【実用新案登録請求の範囲】
【請求項１】
マスク本体の外側に構成した、呼気を通さない素材または通しにくい素材のマスクカバーであり、マスクカバー上辺部とマスク本体、及びマスクカバー側辺部とマスク本体をそれぞれ接着するが、マスクカバー下辺部とマスク本体、及びマスクカバー前辺部とマスク本体はそれぞれ接着せず、さらに、マスクカバー前辺部はマスク前部よりも前方に位置することによりマスクカバーとマスク本体の間に空間を保持し、マスク本体を通る呼気がマスク本体とマスクカバーの間の空間を通りマスクカバーの下辺部から外部に容易に排出されることを特徴とするマスクカバー。
【考案の詳細な説明】
【技術分野】
【０００１】  本考案は、マスク装着時における、呼気によるメガネの曇りを抑えるための、マスクカバーに関するものである。
【背景技術】
【０００２】  従来のマスクは、マスク本体を通る呼気及び隙間から漏れる呼気がメガネに触れることでメガネが曇る不具合がある。これらの不具合を解決するために、隙間から漏れる呼気については曲がる金物やスポンジなどをマスク上辺に取り付けることでマスク上部と顔の間の隙間を無くす対策が行われていた。
【考案の開示】
【考案が解決しようとする課題】
【０００３】  しかしながら、かかる従来のマスクは、マスク本体を通る呼気がメガネに触れてメガネが曇るという不具合について解決されていない。【０００４】  この考案の課題は、これらの不都合を解消することである。
【課題を解決するための手段】
【０００５】    前記課題を達成するために、マスク本体の外側に構成した、呼気を通さない素材または通しにくい素材のマスクカバーであり、マスクカバー上辺部とマスク本体、及びマスクカバー側辺部とマスク本体をそれぞれ接着するが、マスクカバー下辺部とマスク本体、及びマスクカバー前辺部とマスク本体はそれぞれ接着せず、さらに、マスクカバー前辺部はマスク前部よりも前方に位置することにより、マスクカバーとマスク本体の間に空間を保持するように構成する。【０００６】  この構成によって、マスク本体を通る呼気がマスク本体とマスクカバーの間の空間を通りマスクカバーの下辺部から外部に容易に排出されるため、マスク本体を通る呼気がメガネに触れることを防ぐことができ、呼気によるメガネの曇りを防ぐことができる。
【考案の効果】
【０００７】  本発明のマスクカバーは上記のように構成されているため、すなわちマスク本体の外側に構成した、呼気を通さない素材または通しにくい素材のマスクカバーであり、マスクカバー上辺部とマスク本体、及びマスクカバー側辺部とマスク本体をそれぞれ接着するが、マスクカバー下辺部とマスク本体、及びマスクカバー前辺部とマスク本体はそれぞれ接着せず、さらに、マスクカバー前辺部はマスク前部よりも前方に位置することにより、マスクカバーとマスク本体の間に空間を保持するように構成するため、マスク本体を通る呼気がマスク本体とマスクカバーの間の空間を通りマスクカバーの下辺部から外部に容易に排出され、従来のようにマスク本体を通る呼気がメガネに触れてメガネが曇るという不具合を解決することができる。なお、マスク本体を通る呼気がマスク本体とマスクカバーの間の空間を通りマスクカバーの下辺部から外部に容易に排出されるため、マスクカバーがマスク本体を通る呼気の流入量及び流出量を阻害することは無い。
【考案を実施するための最良の形態】
【０００８】  以下、考案を実施するための形態を説明する。図１はこの考案におけるマスクカバーの実施形態を示す斜視図であり、図２はマスクカバーの実施形態を示す正面図であり、図３はマスクカバーの正面図である。【０００９】  図１はマスクカバーの実施形態を示す斜視図である。マスクカバー１１はマスク本体１２の外側に構成しており、マスク本体１２を通った呼気はマスクカバー１１により遮断されマスクカバー１１の外に漏れない。マスクカバー上辺部１３はマスク本体１２に接着されており、マスクカバー上辺部１３とマスク本体１２の間から呼気は漏れない。マスクカバー側辺部１４はマスク本体１２に接着されており、マスクカバー側辺部１４とマスク本体１２の間から呼気は漏れない。マスクカバー前辺部１５はマスク本体１２に接着されておらず、マスクカバー１１とマスク本体１２の開に空間を保持する。マスクカバー下辺部１６はマスク本体１２に接着されておらず、マスクカバー下辺部１６とマスク本体１２の間から呼気は排出される。この構成により、マスク本体１２を通った呼気はマスクカバー１１により遮断され、マスクカバー１１から外に漏れることなく、マスクカバー下辺部から外部に排出されるが、マスクカバー下辺部１６の位置がメガネから離れているため、排出された呼気はほとんどメガネに接しない。【００１０】  図２は、マスクカバーの実施形態を示す正面図である。【００１１】  図３はマスクカバーの正面図である。マスクカバーは呼気を通さない素材または通しにくい素材による一枚のシートを図３に示す形状に切断したものである。マスクカバー１１をマスク本体１２に接着する際にはマスクカバー１１をマスクカバー前辺部１５で二つ折りにするが、図１に示すマスク前部１８が弓状である場合にはその形状に合わせるために、マスクカバー上辺部１３に切り込み１７を入れ、切り込み１７の左右の辺を互いに接着することにより、二つ折りしただけでは直線になってしまうマスクカバー前辺部１５を弓状に近づける。
【産業上の利用可能性】
【００１２】  このように、この考案に係るマスクカバーは、マスク本体の外側に一枚のマスクカバーを保持するという簡易な構造でありながら、マスク本体を通る呼気の流入量及び流出量を阻害することなく呼気をマスクカバー下辺部から外部へ排出する構造により、マスク本体を通る呼気をメガネに触れさせないことができるため、マスク装着時における、呼気によるメガネの曇りを抑えることができる。
【図面の簡単な説明】
【００１３】
【図１】マスクカバーの実施形態を示す斜視図である。
【図２】マスクカバーの実施形態を示す正面図である。
【図３】マスクカバーの正面図である。
【符号の説明】
【００１４】    １１  ・・・  マスクカバー
１２  ・・・  マスク本体
１３  ・・・  マスクカバー上辺部
１４  ・・・  マスクカバー側辺部
１５  ・・・  マスクカバー前辺部
１６  ・・・  マスクカバー下辺部
１７  ・・・  切り込み
１８  ・・・  マスク前部
【図１】
0003143607.tif 000003
【図２】
0003143607.tif 000004
【図３】
0003143607.tif 000005
(57)【要約】      （修正有）【課題】現在使用しているテーブルや飯台などの天板下部空間を有効活用し、テーブル周りのリモコン類やメガネ、メモ帳筆記用具、携帯電話、ティッシュペーパー、常用薬品などの常用小物の整理収納の不便さと、高齢者の置き忘れ防止を解決する回転自在収納ボックスを提供する。【解決手段】テーブルや飯台などに人が座っても膝を邪魔しない高さの天板下部空間端側の水平面や、袖板付きテーブルでは袖板内側の垂直面に回転自在収納ボックス１端側に設けた回転軸固定基板３を両面接着テープ７や固定補助ビス８で簡単に誰でも装着することによって、収納ボックス１を水平面で回転可能とする。収納時は、天板の中央部に回転させて置けば見えなく邪魔することもないことで課題を解決する。【選択図】図２
0003143606.tif 000002
【実用新案登録請求の範囲】
【請求項１】
水平面取り付け固定基板の接着板面裏面部に面に対して直角に固定された適度な長さの軸心丸棒を設ける。
収納ボックスの片側側面に軸心丸棒が貫通できる適度な長さの穴を設け、その穴に水平面取り付け固定基板に設けた軸心丸棒を挿入し、収納ボックスが落下しないように軸心丸棒の端部に中空円形止め具を装着した回転自在収納ボックス。
【請求項２】
垂直面取り付け固定基板の装着面の下側に接着板面と平行に適度な長さの軸心丸棒を設け、垂直面に接着可能とした請求項１の回転自在収納ボックス。
【考案の詳細な説明】
【技術分野】
【０００１】  本考案は、テーブルや飯台などの天板の下面に装着して使用する回転自在収納ボックスに関するものである。
【背景技術】
【０００２】  従来から、テーブルや飯台などの天板下部空間は利用されなかった。
【考案の開示】
【考案から解決しようとする課題】
【０００３】  この考案は、テーブルや飯台などの天板下部空間を有効活用することにより、テーブル周りの常用小物の置き場の不便さを解決することを課題とする。
【課題を解決するための手段】
【０００４】  この課題を解決するための請求項１の考案は、テーブルや飯台などに人が座っても膝を邪魔しない天板下部空間端側の水平面に両面接着テープや固定補助ビスで装着することにより、収納ボックスを水平面状で回転自在可能にしたことを特徴とする。
【０００５】  また、請求項２の考案は袖板付きテーブルなどの袖板内側の垂直面に両面接着テープや固定補助ビスで装着した収納ボックスを水平面状で回転自在にしたことが特徴である。
【考案の効果】
【０００６】  本考案の回転自在収納ボックスは、現在使用中のテーブルや飯台などに複数個でも誰でも簡単に装着可能で、収納時はテーブルや飯台などの天板下部中央部に回転させておけば見えることなく邪魔することもない。又、収納物の取り出し使用時は収納ボックスを天板端外側に回転すれば簡単に取り出すことができる。
どこの家庭でも、テレビ、オーディオ装置、ＤＶＤレコーダ等のリモコンは２〜３個はあるが、これらの整理収納取り出しを便利良くする効果がある。
更に、制作サイズによってティッシュペーパー紙箱の収納も可能であり、携帯電話、メモ帳筆記用具、メガネ、タバコ、常用薬品、補聴器、つまようじ、調味料、その他のテーブル周りの常用小物の収納整理、使用時取り出しが迅速簡単便利で、更に高齢者の置き忘れ防止にも効果を発揮する。
【考案を実施するための最良形態】
【０００７】  図１は、請求項１考案の基本形態の平面図であり、図２はＡ−Ａ’間の断面図である。水平面取り付け固定基板３の裏面部に面に対して直角で適度な長さの軸心丸棒５を設ける。収納ボックス１の片側側面部に軸心丸棒５が貫通できる適度な長さの穴を設け、その穴に水平面取り付け固定基板３に設けた軸心丸棒５を挿入し収納ボックス１が落下しないように、軸心丸棒３の先端部に中空円形止め具６を装着した回転自在収納ボックスである。
【０００８】  請求項２の考案は、垂直面取り付け固定用基板４の接着板面と平行になるように適度な長さの軸心丸棒５を設け、袖板付きテーブルなどの袖板１０の内側の垂直面にも装着可能とした回転自在収納ボックスである。
【０００９】  本考案の制作材料は木製やプラスチック製でよく、サイズは任意でよく、ボックスデザインも多様化できる。
また、中空円形止め具６を可動式止め具にすれば、収納物のサイズによって天板とボックスの空間距離も適度に調整できる。
【産業上の利用可能性】
【００１０】  本考案に係わる回転自在収納ボックスは、工業的に量産することが可能であるため、産業上の利用可能性を有する。
【図面の簡単な説明】
【００１１】
【図１】請求項１考案の回転自在収納ボックスの平面図である。
【図２】テーブルなどの天板下面に水平面取り付け固定用基板を両面接着テープや固定補助ビスで装着した回転自在収納ボックスのＡ−Ａ’断面図である。
【図３】袖板付きテーブルの袖板内側に垂直面取り付け固定基板で装着した請求項２考案の回転自在収納ボックス側面図である。
【符号の説明】
【００１２】  １  回転自在収納ボックス
２  収納区切板
３  水平面取り付け固定基板
４  垂直面取り付け固定基板
５  軸心丸棒
６  中空円形止め具
７  両面接着テープ
８  固定補助ビス
９  テーブルの天板下面
１０  テーブルの袖板断面
１１  袖板付きテーブルの天板断面
【図１】
0003143606.tif 000003
【図２】
0003143606.tif 000004
【図３】
0003143606.tif 000005
(57)【要約】【課題】カラスなどの被害によるゴミの散乱を防ぎ、町の美化がはかられるゴミ収集ネットを提供する。【解決手段】素材には、ナイロンラッセルモヂ網１で、１．７ｍｍ〜２ｍｍ角目の網を使う。ごみ収集ネットの大きさは、使用する場所、家、地域、会社等により変更する。形状は箱型にし、上部の中央部に両開きファスナー３を設ける。また、四隅に持ち手２を備える。【選択図】図１
0003143604.tif 000002
【実用新案登録請求の範囲】
【請求項１】
黄色に染色したナイロンラッセルモヂ網１．７ｍｍ〜２ｍｍ角目の網よりなる箱型であって、上部中心部に両開きのファスナーが取り付けられていることを特徴とするゴミ収集ネット。
【考案の詳細な説明】
【技術分野】
【０００１】  本考案はカラス等によるゴミ散乱を防ぎ町の美化に努め、回収をスムーズに行うために作られたゴミ収集ネットに関するものである。
【背景技術】
【０００２】  従来、家庭などで出されるポリエチレン製のゴミ袋は、収集するまでの時間、回収場所にそのままの状態で放置されており、カラスなどによりゴミが散乱するなどの問題があった。
【考案の開示】
【考案が解決しようとする課題】
【０００３】  ポリ袋をそのままの状態で放置しておくことは、カラス等の被害が甚大である。その為に、木製、鉄、アルミ製のゴミ箱を備え付けてあるが、その場所を塞いでしまい、通行人が通りづらく、また費用もかかりすぎる。ポリ容器の大きいものは、回収する人の手がポリ容器に入りづらいうえ、ゴミの量が多い場合は、多くのポリ容器が必要である。
従前の網を使用する方法は、単に上から網をかぶせるタイプが多く、周りに鉛入りロープをつけたものでも、下からの侵入を防ぎづらい。本考案は前述の欠点を解決することを目的とする。
【課題を解決するための手段】
【０００４】  本考案は、ゴミ収集ネットであって、黄色に染色したナイロンラッセルモヂ網１．７ｍｍ〜２ｍｍ角目の網よりなる箱型であって、上部中心部に両開きのファスナーが取り付けられていることを特徴とする。
【考案の効果】
【０００５】  上述の様に、本考案の収集ネットは従来の木製などのゴミ箱の様に場所もとらず、ポリ容器の様に運びづらくなく、持ち手があることにより運びやすく、ナイロン製のために下をひきづってもスレに強く、網の特性である乾きやすく水はけも良く、軽いため使用しないときは家の中に折りたたんで場所もとらずしかも安価である。
【考案を実施するための最良の形態】
【０００６】  以下、本考案の最良の形態を図を用いて説明する。図１は、本考案のゴミ収集ネットである。素材には、ナイロンラッセルモヂ網１で、１．７ｍｍ〜２ｍｍ角目の網を使う。ごみ収集ネットの大きさは、使用する場所、家、地域、会社等により変更する。形状は箱型にし、上部の中央部に両開きファスナー３を設ける。また、四隅に持ち手２を備える。
【図面の簡単な説明】
【０００７】
【図１】本考案のゴミ収集ネットの斜視図である。
【符号の説明】
【０００８】    １  ナイロンラッセルモヂ網
２  持ち手
３  両開きファスナー
【図１】
0003143604.tif 000003